(57)【特許請求の範囲】
【請求項１】
本体および該本体から引き出し可能な引出体を有し、
該引出体が、紙幣を収納する複数のカセットを水平直線状のカセット配列方向に配列して収納する収納部を備えてなる紙幣処理装置であって、
前記複数のカセットは、これらカセットを前記収納部へ収納した収納状態にて前記カセット配列方向に位置するそれぞれの配列方向外面が互いに対向する際に隙間をもって対向し、
すべての前記カセットのそれぞれの両側の前記配列方向外面には、一側と逆側とで前記カセット配列方向に直交する水平なカセット配列直交水平方向の位置をずらして複数の第１凸部が上部のみに設けられ、
前記収納状態にて互いに対向する前記配列方向外面は、それぞれに設けられた前記複数の第１凸部が、前記カセット配列直交水平方向の位置をずらし且つ前記カセット配列方向の位置を重ね合わせることになり、
前記収納部は、
前記収納状態にて前記配列方向外面と対向する２カ所の第１壁面と、
前記収納状態にて前記複数のカセットの前記カセット配列直交水平方向に位置する側面と対向する２カ所の第２壁面と、を有し、
前記２カ所の第１壁面のそれぞれに、前記収納状態にて対向する前記配列方向外面の前記第１凸部と前記カセット配列直交水平方向の位置を重ね合わせ且つ前記カセット配列方向の位置を重ね合わせる第１壁面凹部が設けられ、
前記２カ所の第２壁面のそれぞれに、第２壁面凹部が設けられ、
前記複数のカセットの両側の前記側面それぞれに、前記収納状態にて前記第２壁面凹部に入り込む第２凸部が設けられていることを特徴とする紙幣処理装置。
【請求項２】
前記引出体は、前記収納部の上方に設けられて前記複数のカセットに対して紙幣を搬送する搬送部を備えていることを特徴とする請求項１に記載の紙幣処理装置。
【発明の詳細な説明】
【技術分野】
【０００１】
本発明は、紙幣を取り扱う紙幣処理装置に関する。
【背景技術】
【０００２】
従来、紙幣を収納するカセットを着脱可能に備えた引出体が、本体に対し引き出し可能となっている紙幣処理装置がある（例えば特許文献１参照）。
【先行技術文献】
【特許文献】
【０００３】
【特許文献１】特開２００５−２５９０８４号公報（図１０、図１１）
【発明の概要】
【発明が解決しようとする課題】
【０００４】
上記した紙幣処理装置では、引出体の引き出し方向に沿って複数のカセットを設定された位置にセットすることになるが、その際に確実にカセットをセットすること、および、引出体およびカセットを傷つけないようにすることを目的として、隣り合うカセット間に多少の隙間を形成するようになっている。
【０００５】
このため、引出体に複数のカセットをセットした状態で、引出体を引き出して保守作業を行う際には、隣り合うカセット間の隙間に紙幣が落下してしまう可能性があった。このように、隣り合うカセット間の隙間に紙幣が落下してしまうと、カセットを取り外さなければ紙幣を取り出すことができないことがあり、作業性の点で問題があった。
【０００６】
本発明は、上記問題に鑑み、隣り合うカセット間の隙間に紙幣が落下することを防止することができる紙幣処理装置の提供を目的とする。
【課題を解決するための手段】
【０００７】
上記目的を達成するために、請求項１に係る発明は、本体および該本体から引き出し可能な引出体を有し、該引出体が、紙幣を収納する複数のカセットを水平直線状のカセット配列方向に配列して収納する収納部を備えてなる紙幣処理装置であって、前記複数のカセットは、これらカセットを前記収納部へ収納した収納状態にて前記カセット配列方向に位置するそれぞれの配列方向外面が互いに対向する際に隙間をもって対向し、すべての前記カセットのそれぞれの両側の前記配列方向外面には、一側と逆側とで前記カセット配列方向に直交する水平なカセット配列直交水平方向の位置をずらして複数の第１凸部が上部のみに設けられ、前記収納状態にて互いに対向する前記配列方向外面は、それぞれに設けられた前記複数の第１凸部が、前記カセット配列直交水平方向の位置をずらし且つ前記カセット配列方向の位置を重ね合わせることになり、前記収納部は、前記収納状態にて前記配列方向外面と対向する２カ所の第１壁面と、前記収納状態にて前記複数のカセットの前記カセット配列直交水平方向に位置する側面と対向する２カ所の第２壁面と、を有し、前記２カ所の第１壁面のそれぞれに、前記収納状態にて対向する前記配列方向外面の前記第１凸部と前記カセット配列直交水平方向の位置を重ね合わせ且つ前記カセット配列方向の位置を重ね合わせる第１壁面凹部が設けられ、前記２カ所の第２壁面のそれぞれに、第２壁面凹部が設けられ、前記複数のカセットの両側の前記側面それぞれに、前記収納状態にて前記第２壁面凹部に入り込む第２凸部が設けられていることを特徴とする。
【００１１】
請求項２に係る発明は、請求項１に係る発明において、前記引出体は、前記収納部の上方に設けられて前記複数のカセットに対して紙幣を搬送する搬送部を備えていることを特徴とする。
【発明の効果】
【００１２】
請求項１に係る発明によれば、隣り合うカセット同士の隙間に紙幣が落下しようとしても、隙間を形成する互いに対向する配列方向外面に、カセット配列直交水平方向の位置をずらし且つカセット配列方向の位置を重ね合わせて凸部が設けられているため、隙間が一直線状にならずに紙幣の落下を規制することになる。したがって、隣り合うカセット間の隙間に紙幣が落下することを防止することができる。
【００１３】
また、一つの配列方向外面に複数の凸部がカセット配列直交水平方向に並んで設けられており、一方の配列方向外面の隣り合う二つの凸部間の外面凹部に、他方の配列方向外面の一つの凸部がカセット配列直交水平方向の位置を重ね合わせるため、隙間がジグザグ状になり、紙幣の落下をさらに規制することができる。したがって、隣り合うカセット間の隙間に紙幣が落下することをさらに防止することができる。
【００１４】
また、収納部の壁面とこれに隣り合うカセットとの隙間に紙幣が落下しようとしても、壁面には、対向する配列方向外面の凸部とカセット配列直交水平方向の位置を重ね合わせ且つカセット配列方向の位置を重ね合わせる壁面凹部が設けられているため、隙間が一直線状にならずに紙幣の落下を規制することになる。したがって、収納部の壁面とこれに隣り合うカセットとの隙間に紙幣が落下することを防止することができる。
【００１５】
また、すべてのカセットが、両側の配列方向外面に一側と逆側とでカセット配列直交水平方向の位置をずらして凸部が設けられているため、隣り合うカセット同士のすべての隙間が、一直線状にならずに紙幣の落下を規制することになる。したがって、収納部に収納されたすべてのカセットの隣り合うもの同士のすべての隙間に、紙幣が落下することを防止することができる。
【００１６】
請求項２に係る発明によれば、搬送部に生じたジャム等を解消する際には、搬送部と収納部とが設けられた引出体が本体から引き出され、この状態で収納部の上側の搬送部から紙幣が取り除かれることになるため、下側の収納部側に紙幣が落下する可能性が高い。よって、隣り合うカセット間の隙間に紙幣が落下することを防止することによる効果が高まる。
【図面の簡単な説明】
【００１７】
【図１】本発明の一実施形態に係る紙幣処理装置を含む出納機を示す斜視図である。
【図２】本発明の一実施形態に係る紙幣処理装置を概略的に示す側断面図である。
【図３】同紙幣処理装置の側断面図であって、入金処理ルートを太線で示すものである。
【図４】同紙幣処理装置の側断面図であって、収納処理ルートを太線で示すものである。
【図５】同紙幣処理装置の側断面図であって、返却処理ルートを太線で示すものである。
【図６】同紙幣処理装置の側断面図であって、バラ出金処理ルートを太線で示すものである。
【図７】同紙幣処理装置の側断面図であって、束出金処理ルートを太線で示すものである。
【図８】同紙幣処理装置の側断面図であって、自己精査処理の往路ルートを太線で示すものである。
【図９】同紙幣処理装置の側断面図であって、自己精査処理の復路ルートを太線で示すものである。
【図１０】同紙幣処理装置の側断面図であって、ローカル整理処理の往路ルートを太線で示すものである。
【図１１】同紙幣処理装置の側断面図であって、ローカル整理処理の復路ルートを太線で示すものである。
【図１２】同紙幣処理装置の引出体を示す斜視図であって、（ａ）は搬送部が搬送位置にある状態を、（ｂ）は搬送部が開放位置にある状態を示すものである。
【図１３】同紙幣処理装置の引出体および各種カセットを示す斜視図であって、（ａ）は搬送部が搬送位置にある状態を、（ｂ）は搬送部が開放位置にある状態を示すものである。
【図１４】同紙幣処理装置のカセットを示す斜視図である。
【図１５】同紙幣処理装置のカセットを示す平面図である。
【図１６】同紙幣処理装置のカセットを示す側面図である。
【図１７】同紙幣処理装置の収納部にカセットを収納した状態を示すもので、（ａ）は平面図、（ｂ）は側面図である。
【図１８】同紙幣処理装置の収納部にカセットを収納した状態を示す要部の拡大平面図である。
【図１９】同紙幣処理装置の収納部にカセットを収納した状態を示す要部の拡大側面図である。
【図２０】同紙幣処理装置の収納部にカセットを収納した状態を示す要部の拡大平面図である。
【図２１】同紙幣処理装置の収納部にカセットを収納した状態を示す要部の拡大平面図である。
【発明を実施するための形態】
【００１８】
本発明の一実施形態に係る紙幣処理装置を図面を参照して以下に説明する。図１は、紙幣および硬貨等を取り扱う出納機を示している。この出納機は、銀行等の金融機関の店舗に設置されて店舗全体の貨幣処理を管理するものである。出納機は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。
【００１９】
出納機は、紙幣についての入出金処理等を行う本実施形態に係る紙幣処理装置１１と、紙幣の特に新券についての出金処理等を行う新券処理装置１２と、硬貨についての入出金処理等を行う硬貨処理装置１３とが左右に並設されて構成されており、硬貨処理装置１３の上部に、操作者によって操作入力がなされる操作部１４と、操作者に対して表示を行う表示部１５とが設けられている。
【００２０】
次に、本実施形態に係る紙幣処理装置１１の全体構成を図２を参照して説明する。紙幣処理装置１１は、その前面側の上部に、機外からバラ紙幣が投入されるとともに機内から出金用のバラ紙幣が繰り出される入出金部２１が設けられている。入出金部２１は、その底部を構成する載置板２２が後下がりに傾斜した姿勢で昇降可能に設けられており、その奥側の支承面２３が載置板２２と直交するように後上がりに傾斜して設けられている。入出金部２１には、紙幣が長さ方向を左右方向に沿わせた姿勢で載置板２２上に集積されることになり、紙幣は載置板２２の傾斜により後端縁が支承面２３に当接する。入出金部２１の上部の後側には、載置板２２上に集積されたバラ紙幣を上端のものから一枚ずつ分離して所定の間隔をあけて機内へ繰り出すとともに機内からの紙幣を入出金部２１に繰り出す繰出部２１ａが設けられている。
【００２１】
入出金部２１の下側には、紙幣処理装置１１の前面位置に、受け付け不可と判定された入金リジェクト紙幣が機内から繰り出される入金リジェクト部２６が設けられている。入出金部２１および入金リジェクト部２６の後側には、出金不可と判定された出金リジェクト紙幣を収納する出金リジェクト部２７が設けられており、出金リジェクト部２７の後方の下部には紙幣を識別する識別部２８が設けられている。
【００２２】
また、出金リジェクト部２７の後方の上部には紙幣を整列させて所定の結束枚数集積させる整列部３０が設けられており、この整列部３０の上部には、整列部３０で集積された結束枚数の紙幣に結束テープを巻き回して小束紙幣とする結束部３１が設けられている。この結束部３１の前側には結束部３１で作成された小束紙幣を機外に繰り出す束出金部３２が設けられている。
【００２３】
また、紙幣処理装置１１の下部には、奥側から順に、入金確定後の所定の単一金種のバラ紙幣を上下に集積させた状態で収納する金種カセット３５、同様の金種カセット３６、同様の金種カセット３７、入金確定後のバラ紙幣を上下に集積させた状態で収納する混合カセット３８、および入金された入金確定前のバラ紙幣を上下に集積させた状態で一時貯留するプールカセット３９が上下左右の位置を合わせて水平直線状のカセット配列方向に配列されている。このカセット配列方向は、紙幣処理装置１１の前後方向に沿っている。
【００２４】
金種カセット３５の上部には、その内部に紙幣を繰り出すとともに内部の紙幣を上端のものから一枚ずつ分離して繰り出す繰出部３５ａが設けられており、金種カセット３６の上部にも同様の繰出部３６ａが、金種カセット３７の上部にも同様の繰出部３７ａが、混合カセット３８の上部にも同様の繰出部３８ａが、プールカセット３９の上部にも同様の繰出部３９ａが、それぞれ設けられている。
【００２５】
紙幣処理装置１１の内部には、紙幣を搬送する紙幣搬送路４１が各部を適宜繋ぐように設けられている。紙幣搬送路４１は、繰出部２１ａから後上がりに延出した後、後下がりに延出し、さらに鉛直下方に延出し、その後、前側に一端延出した後、下側にて後側に折り返し、後方に延出し、途中上側に凸状に屈曲して識別部２８を通って下方に若干延出する搬送路４１Ａと、搬送路４１Ａに連続して下側に若干延出した後に前方に延出し前端から下方に若干延出する搬送路４１Ｂと、搬送路４１Ｂに連続するようにプールカセット３９に設けられた搬送路４１Ｃとを有している。
【００２６】
また、紙幣搬送路４１は、搬送路４１Ｂの途中から分岐する搬送路４１Ｄと、搬送路４１Ｄに連続するように金種カセット３５に設けられた搬送路４１Ｅと、搬送路４１Ｂの搬送路４１Ｄよりもプールカセット３９側から分岐する搬送路４１Ｆと、搬送路４１Ｆに連続するように金種カセット３６に設けられた搬送路４１Ｇと、搬送路４１Ｂの搬送路４１Ｆよりもプールカセット３９側から分岐する搬送路４１Ｈと、搬送路４１Ｈに連続するように金種カセット３７に設けられた搬送路４１Ｉと、搬送路４１Ｂの搬送路４１Ｈよりもプールカセット３９側から分岐する搬送路４１Ｊと、搬送路４１Ｊに連続するように混合カセット３８に設けられた搬送路４１Ｋと、搬送路４１Ｂの搬送路４１Ｊよりもプールカセット３９側から分岐して上方に延出する搬送路４１Ｌと、搬送路４１Ｌに繋がって屈曲し後方に延出して搬送路４１Ａの入出金部２１と識別部２８との間に繋がる搬送路４１Ｍとを有している。
【００２７】
また、紙幣搬送路４１は、搬送路４１Ｂの搬送路４１Ｊの分岐位置と搬送路４１Ｌの分岐位置との間位置から分岐して上方に延出する搬送路４１Ｎと、搬送路４１Ｎに繋がって上方に延出し搬送路４１Ｍの途中位置に繋がる搬送路４１Ｏと、搬送路４１Ｍにおける搬送路４１Ｏの接続位置と搬送路４１Ａへの接続位置との間位置から分岐して入金リジェクト部２６に繋がる搬送路４１Ｐと、搬送路４１Ａにおける搬送路４１Ｍの接続位置と入出金部２１との間位置から分岐し前方に延出して搬送路４１Ｐの途中位置に繋がる搬送路４１Ｑと、搬送路４１Ｐにおける搬送路４１Ｑの接続位置と入金リジェクト部２６との間位置から上方に分岐し後上がりに延出して出金リジェクト部２７に繋がる搬送路４１Ｒとを有している。
【００２８】
また、紙幣搬送路４１は、搬送路４１Ａにおける入出金部２１と搬送路４１Ｑの分岐位置との間位置と、搬送路４１Ｍの接続位置と識別部２８との間位置とを繋ぐ搬送路４１Ｓと、搬送路４１Ａにおける搬送路４１Ｓの接続位置と入出金部２１との間位置から後方に分岐して整列部３０に繋がる搬送路４１Ｔとを有している。搬送路４１Ｓには、紙幣の表裏を反転させる表裏反転部４３が設けられている。
【００２９】
ここで、上記した搬送路４１Ａ〜４１Ｍは正逆両方向に紙幣を搬送可能となっており、搬送路４１Ｎ〜４１Ｔは一方向にのみ紙幣を搬送可能となっている。
【００３０】
図３の太線は、機外から入出金部２１に投入されたバラ紙幣を搬送しつつ識別計数する入金処理のルートを示している。つまり、入出金部２１の載置板２２上にバラ紙幣が載置されて、操作部１４に入金処理を行う旨の入力操作がなされると、繰出部２１ａが入出金部２１の載置板２２上の紙幣を上端のものから順に一枚ずつ分離して所定の間隔をあけて繰り出すことになり、繰り出した紙幣を、搬送路４１Ａで搬送することになる。搬送路４１Ａでの搬送中に識別部２８が紙幣を識別計数することになり、識別部２８で受け入れ可能と判定した紙幣（取り扱い可能な金種の紙幣）を、図３に太実線で示すように、搬送路４１Ｂ，４１Ｃでプールカセット３９に搬送する一方、識別部２８で受け入れ不可と判定した紙幣を、図３に太破線で示すように、搬送路４１Ｂから搬送路４１Ｎ，４１Ｏ，４１Ｍ，４１Ｐで入金リジェクト部２６に搬送する。これにより、受け入れ可能な紙幣をプールカセット３９に一時貯留し、受け入れ不可な紙幣を入金リジェクト部２６に放出する。
【００３１】
図４の太線は、入金処理にてプールカセット３９に一時貯留した紙幣を、操作部１４への承認操作が入力されたことを条件に、確定して、金種カセット３５〜３７および混合カセット３８の対応するものに収納する収納処理のルートを示している。つまり、プールカセット３９の紙幣を上端のものから繰出部３９ａが繰り出すことになり、繰り出した紙幣を、図４に太実線で示すように、搬送路４１Ｃ，４１Ｂ，４１Ｌ，４１Ｍ，４１Ａで識別部２８に搬送し、識別部２８の識別結果に基づいて、搬送路４１Ｂ，４１Ｄ〜４１Ｋの対応するものによって金種カセット３５〜３７および混合カセット３８の対応するものに搬送する。これにより、金種カセット３５〜３７および混合カセット３８の対応するものに紙幣を収納する。なお、収納処理にて識別部２８で重送等と識別した紙幣については、図４に太破線で示すように、搬送路４１Ｂ，４１Ｎ，４１Ｏ，４１Ｍ，４１Ｐ，４１Ｒによって出金リジェクト部２７に搬送し、出金リジェクト部２７に収納する。
【００３２】
図５の太線は、入金処理にてプールカセット３９に一時貯留した紙幣を、操作部１４へのキャンセル操作が入力されたことを条件に、入出金部２１に繰り出す返却処理のルートを示している。つまり、プールカセット３９の紙幣を上端のものから繰出部３９ａが繰り出すことになり、繰り出した紙幣を、搬送路４１Ｃ，４１Ｂ，４１Ａによって入出金部２１に搬送する。これにより、入出金部２１に紙幣を返却する。
【００３３】
図６の太線は、操作部１４へ入力されたバラ出金操作に基づいて、金種カセット３５、金種カセット３６および金種カセット３７の指定された金種のものから紙幣を出金するバラ紙幣出金処理のルートを示している。つまり、バラ出金処理では、図６に太実線で示すように、金種カセット３５〜３７の指定された金種のものに収納されている紙幣を上端のものから繰出部３５ａ〜３７ａの対応するものが繰り出すことになり、繰り出した紙幣を、搬送路４１Ｄ〜４１Ｉの対応するものと、搬送路４１Ｂ，４１Ａとで識別部２８に搬送し、識別部２８の識別結果に基づいて、表裏反転が必要でないものは搬送路４１Ａで入出金部２１に、表裏反転が必要なものは搬送路４１Ｓを介して表裏反転部４３で表裏反転させた後、搬送路４１Ａで入出金部２１に、それぞれ搬送する。これにより、出金操作に基づくバラ紙幣を入出金部２１に繰り出す。なお、出金処理にて識別部２８で重送等と識別した紙幣については、図６に太破線で示すように、搬送路４１Ａ，４１Ｑ，４１Ｐ，４１Ｒによって出金リジェクト部２７に搬送し、出金リジェクト部２７に収納する。
【００３４】
図７の太線は、操作部１４へ入力された束出金操作に基づいて、金種カセット３５、金種カセット３６および金種カセット３７の指定された金種のものからの紙幣を結束して出金する束出金処理のルートを示している。つまり、束出金処理では、図７に太実線で示すように、金種カセット３５〜３７のうち指定された金種のものに収納されている紙幣を上端のものから繰出部３５ａ〜３７ａの対応するものが繰り出すことになり、繰り出した紙幣を、搬送路４１Ｄ〜４１Ｉの対応するものと、搬送路４１Ｂ，４１Ａとで識別部２８に搬送し、識別部２８の識別結果に基づいて、表裏反転が必要でないものは搬送路４１Ａ，４１Ｔで整列部３０に、表裏反転が必要なものは搬送路４１Ｓを介して表裏反転部４３で表裏反転させた後、搬送路４１Ａ，４１Ｔで整列部３０に、それぞれ搬送する。これにより、指定された単一金種の紙幣を結束単位枚数だけ整列部３０に繰り出す。そして、結束部３１で結束を行い、束出金部３２に繰り出す。このような処理を指定された金種毎に指定された束数分行うことになる。なお、束出金処理にて識別部２８で重送等と識別した紙幣については、図７に太破線で示すように、搬送路４１Ａ，４１Ｑ，４１Ｐ，４１Ｒによって出金リジェクト部２７に搬送し、出金リジェクト部２７に収納する。
【００３５】
図８の太線は、操作部１４へ入力された自己精査処理操作に基づいて、金種カセット３５〜３７および混合カセット３８の対応するものの紙幣を自己精査する自己精査処理の往路ルートを示している。つまり、自己精査処理では、図８に太実線で示すように、金種カセット３５〜３７および混合カセット３８のうちの設定された一つに収納されている紙幣を上端のものから繰出部３５ａ〜３８ａの対応するものが繰り出すことになり、繰り出した紙幣を、搬送路４１Ｄ〜４１Ｋの対応するものと、搬送路４１Ｂ，４１Ａとで識別部２８に搬送し、識別部２８で識別計数しつつ、搬送路４１Ｍ，４１Ｌ，４１Ｂ，４１Ｃを介してプールカセット３９に搬送する。そして、金種カセット３５〜３７および混合カセット３８のうちの設定された一つに収納されていた紙幣をすべて繰り出す。なお、この搬送中、識別部２８で重送等と識別した紙幣については、図８に太破線で示すように、搬送路４１Ａ，４１Ｑ，４１Ｐ，４１Ｒによって出金リジェクト部２７に搬送し、出金リジェクト部２７に収納する。
【００３６】
図９の太線は、上記した自己精査処理の復路ルートを示している。上記したようにプールカセット３９に一旦移した紙幣を、図９に太実線で示すように、搬送路４１Ｃ，４１Ｂ，４１Ｌ，４１Ｍ，４１Ａによって、識別部２８に搬送し、識別部２８で識別計数するとともに、識別部２８の識別結果に基づいて、搬送路４１Ｂ，４１Ｄ〜４１Ｋの対応するものを介して、金種カセット３５〜３７および混合カセット３８の対応する金種のものに収納する。なお、この搬送中、識別部２８で重送等と識別した紙幣については、図９に太破線で示すように、搬送路４１Ｂ，４１Ｎ，４１Ｏ，４１Ｍ，４１Ｐ，４１Ｒによって出金リジェクト部２７に搬送し、出金リジェクト部２７に収納する。
【００３７】
以上により、識別部２８の計数結果と、金種カセット３５〜３７および混合カセット３８の自己精査処理を行ったものに収納された紙幣の枚数とが一致することになり、このような自己精査処理を、金種カセット３５〜３７および混合カセット３８のうちの設定されたものについて、それぞれ個別に行うことになる。なお、金種カセット３５〜３７および混合カセット３８にそれぞれ収納された紙幣の合計枚数がプールカセット３９の最大収納枚数以下であった場合には、上記の自己精査処理をそれぞれ個別に行う必要はなく、すべて一括して行うこともできる。
【００３８】
図１０の太線は、機外から入出金部２１に投入されたバラ紙幣を搬送しつつ識別計数するローカル整理処理の往路ルートを示している。つまり、入出金部２１の載置板２２上にバラ紙幣が載置されて、操作部１４にローカル整理処理を行う旨の入力操作が金種指定とともになされると、繰出部２１ａが入出金部２１の載置板２２上の紙幣を上端のものから順に一枚ずつ分離して所定の間隔をあけて繰り出すことになり、繰り出した紙幣を、図１０に太実線で示すように、搬送路４１Ａで搬送することになる。搬送路４１Ａでの搬送中に識別部２８が紙幣を識別計数することになり、識別部２８で指定金種と判定した紙幣を、搬送路４１Ｂ，４１Ｃでプールカセット３９に搬送する一方、識別部２８で指定金種以外と判定した紙幣を、図１０に太破線で示すように、搬送路４１Ｂから搬送路４１Ｎ，４１Ｏ，４１Ｍ，４１Ｐで入金リジェクト部２６に搬送する。これにより、指定金種の紙幣をプールカセット３９に一時貯留し、指定金種以外の紙幣を入金リジェクト部２６に放出する。
【００３９】
図１１の太線は、ローカル整理処理の復路ルートを示している。上記したようにプールカセット３９に一旦収納した紙幣を、上端のものから繰出部３９ａが繰り出すことになり、繰り出した紙幣を、図１１の太線で示すように、搬送路４１Ｃ，４１Ｂ，４１Ａで識別部２８に搬送し、識別部２８の識別結果に基づいて、表裏反転が必要でないものは搬送路４１Ａ，４１Ｔで整列部３０に、表裏反転が必要なものは搬送路４１Ｓを介して表裏反転部４３で表裏反転させた後、搬送路４１Ａ，４１Ｔで整列部３０に、それぞれ搬送する。このようにして、指定された単一金種の紙幣を結束単位枚数だけ整列部３０に繰り出す。そして、結束部３１で結束を行い、束出金部３２に繰り出す。このような処理を結束単位枚数が整列部３０に集積される限り繰り返す。なお、結束単位枚数に満たない、端数紙幣が整列部３０に集積された場合にも、これを結束し端数紙幣であることを示す識別をつけて束出金部３２に繰り出す。なお、ローカル整理処理にて識別部２８で重送等と識別した紙幣については、図１１に太破線で示すように、搬送路４１Ａ，４１Ｑ，４１Ｐによって入金リジェクト部２６に搬送し、入金リジェクト部２６に放出する。
【００４０】
本実施形態に係る紙幣処理装置１１は、その上部にある、入出金部２１、入金リジェクト部２６、出金リジェクト部２７、識別部２８、整列部３０、結束部３１、束出金部３２、表裏反転部４３および搬送路４１Ａ，４１Ｍ，４１Ｏ〜４１Ｔが本体４５内に配置されており、その下部にある、搬送路４１Ｂ，４１Ｄ，４１Ｆ，４１Ｈ，４１Ｊ，４１Ｌ，４１Ｎが、本体４５から紙幣処理装置１１の前後方向に沿って前面側に引き出し可能な図１２に示す引出体４６内に配置されている。さらに、搬送路４１Ｅは、引出体４６に対し着脱可能な金種カセット３５内に、搬送路４１Ｇは同様の金種カセット３６内に、搬送路４１Ｉは同様の金種カセット３７内に、搬送路４１Ｋは同様の混合カセット３８内に、搬送路４１Ｃは同様のプールカセット３９内に、それぞれ配置されている。
【００４１】
引出体４６は、図１２に示すように、収納部４７と、この収納部４７の上方に開閉可能に設けられた搬送部４８とを有している。図１３に示すように、収納部４７には、複数の収納体である金種カセット３５〜３７、混合カセット３８およびプールカセット３９が水平直線状のカセット配列方向Ｘに一列状に配列して収納されることになる。このカセット配列方向Ｘは、引出体４６の本体４５に対する引き出し・装填方向と一致する。この収納部４７の上方の搬送部４８は、金種カセット３５〜３７、混合カセット３８およびプールカセット３９に対して紙幣を搬送する。搬送部４８には、図２に示す上記した搬送路４１Ｂ，４１Ｄ，４１Ｆ，４１Ｈ，４１Ｊ，４１Ｌ，４１Ｎが設けられている。
【００４２】
収納部４７は、図１２に示すように、前壁部５１と、前壁部５１の左端側の略全高さ範囲から後方に延出するベース壁部５２と、前壁部５１の右端側の下部から後方に延出する着脱壁部５３と、前壁部５１と平行をなしてベース壁部５２および着脱壁部５３に連結される後壁部５４と、これら前壁部５１、ベース壁部５２、着脱壁部５３および後壁部５４で囲まれる空間の下部を閉塞する図示略の底板部とを有している。ここで、前壁部５１は、紙幣処理装置１１の前面を構成する。
【００４３】
後壁部５４には、上下方向中間位置に受板５５が支持軸５５ａで、鉛直方向に沿う状態と後上がりに傾斜して延出する状態との間で揺動するように取り付けられている。ベース壁部５２の上部には、図１２（ｂ）に示すように、前後方向に沿う支持軸５７ａを有する２カ所のヒンジ５７を介して搬送部４８が揺動可能に連結されている。
【００４４】
また、収納部４７には、図１３に示す金種カセット３５〜３７、混合カセット３８およびプールカセット３９が個別に装填される、図１２に示す複数の装填空間５８を仕切る複数の仕切壁部５９が、前壁部５１と後壁部５４との間に、これらに平行に設けられている。各装填空間５８は、カセット配列方向Ｘの長さがすべて同じに設定されており、このカセット配列方向Ｘに直交する水平なカセット配列直交水平方向Ｙの長さもすべて同じに設定されている。また、各装填空間５８は、カセット配列直交水平方向Ｙの位置を一致させており、カセット配列方向Ｘに等間隔で形成されている。なお、各装填空間５８は、カセット配列方向Ｘの長さよりもカセット配列直交水平方向Ｙの長さの方が大きく設定されている。
【００４５】
ここで、図１２（ｂ）に示すように、ヒンジ５７の支持軸５７ａが上側に設けられることになるベース壁部５２の高さよりも、支持軸５７ａとは反対側の着脱壁部５３の高さの方が上記したように低くなっており、これにより、複数の装填空間５８は、着脱壁部５３の上側において側方に大きく開口している。
【００４６】
仕切壁部５９は、着脱壁部５３への接合側が着脱壁部５３と同高さとなっており、ベース壁部５２への接合側が着脱壁部５３よりも高くベース壁部５２よりも若干低い高さとなっている。これにより、仕切壁部５９は、着脱壁部５３側の上部がベース壁部５２の上部と着脱壁部５３の上部とを結ぶように斜めに切り欠かれた形状をなしている。言い換えれば、搬送部４８を軸支する側のベース壁部５２の上端部と、上側が開放された着脱壁部５３の上端部とを結ぶ線の近傍付近に仕切壁部５９の上端縁が形成されている。このような収納部４７には、前壁部５１側の下部に、本体４５からの引き出し時に床面上で転動するキャスタ６０が設けられている。
【００４７】
収納部４７の一縁であるベース壁部５２の上部には前後二カ所に上記したヒンジ５７が取り付けられており、これらヒンジ５７に上記した搬送部４８が取り付けられている。言い換えれば、搬送部４８が、収納部４７の一縁にあって、複数の金種カセット３５〜３７、混合カセット３８およびプールカセット３９のカセット配列方向Ｘに沿うヒンジ５７の支持軸５７ａに軸支されて、収納部４７に対し揺動可能となっている。
【００４８】
搬送部４８は、ベース壁部５２と着脱壁部５３との間の上方位置で水平に配置される図１２（ａ）に示す搬送位置と、ベース壁部５２の上方に延出する姿勢となってすべての装填空間５８の上方を開放する図１２（ｂ）に示す開放位置との間で揺動可能となっている。搬送位置にあるとき、搬送部４８は、図１３（ａ）に示す金種カセット３５〜３７、混合カセット３８およびプールカセット３９の上方を覆ってこれらに対して紙幣を搬送可能となる。開放位置にあるとき、図１３（ｂ）に示すように金種カセット３５〜３７、混合カセット３８およびプールカセット３９の上方を開放する。なお、搬送部４８は、図１２（ａ），図１３（ａ）に示すように水平に配置される搬送位置と、図１２（ｂ），図１３（ｂ）に示す開放位置との間の揺動角度が、９０度より大きくなっている。引出体４６と本体４５とは、搬送部４８が搬送位置にあるときに、本体４５に対し衝突することなく装填可能となり、搬送部４８が開放位置にあるときには、本体４５に対し装填しようとすると搬送部４８が本体４５に衝突する形状関係になっている。
【００４９】
図１３に示す金種カセット３５〜３７、混合カセット３８およびプールカセット３９は、大きさを含む外観形状がすべて同じとなっており、これら共通形状のカセット３５〜３９は、図１２に示す対応する装填空間５８に装填されることで、図１３に示すようにカセット配列方向Ｘ、カセット配列直交水平方向Ｙおよび上下方向の全方向に位置決めされることになる。このように位置決めされた状態で、すべてのカセット３５〜３９が、上下方向の位置を一致させ、カセット配列直交水平方向Ｙの位置を一致させるとともに、すべての隣り合うもの同士の隙間のカセット配列方向Ｘの長さを同等にする。これらカセット３５〜３９は、カセット配列方向Ｘの長さよりもカセット配列直交水平方向Ｙの長さの方が長くなっている。
【００５０】
共通形状のすべてのカセット３５〜３９には、図１４に示すように、上部のカセット配列方向Ｘの一側に紙幣入出口６５が設けられており、上部のカセット配列方向Ｘの中間部および逆側には、下方に凹む収容凹部６６が設けられている。この収容凹部６６には、カセット配列方向Ｘの中央側に回動中心を配置してコ字状の取っ手６７が設けられている。この取っ手６７は、回動中心から上方に延出する立位姿勢で使用されるもので、非使用時には、図１４に示すように紙幣入出口６５とは反対側に倒されて収容凹部６６に収容される。紙幣入出口６５の内側には、図２に示す搬送路４１Ｃ，４１Ｅ，４１Ｇ，４１Ｉ，４１Ｋの対応するものが配置されることになり、本体４５に対するカセット３５〜３９の紙幣の入出は、それぞれの紙幣入出口６５を介して行われる。
【００５１】
すべてのカセット３５〜３９は、図１３（ｂ）に示すように、紙幣入出口６５を引出体４６の引き出し方向の前側つまり前壁部５１側にし、収容凹部６５を引出体４６の引き出し方向の後側つまり後壁部５４側にする向きで収納部４７に収納される。このようにしてカセット３５〜３９を収納部４７に収納したカセット収納状態で、各カセット３５〜３９のカセット配列方向Ｘの両側に位置する外面のうち、引出体４６の引き出し方向前側の外面が、図１４〜図１６に示す配列方向前面（配列方向外面）７０となり、引出体４６の引き出し方向後側の外面が、図１５および図１６に示す配列方向後面（配列方向外面）７１となる。図１４および図１５に示すように、配列方向前面７０は配列方向後面７１よりも紙幣入出口６５との距離が短くなっている。
【００５２】
そして、各カセット３５〜３９において、図１６に示すように配列方向前面７０の上部には、カセット配列方向Ｘに突出する前面凸部（凸部）７３が、図１５に示すようにカセット配列直交水平方向Ｙに等間隔で並んで複数具体的には５カ所形成されている。これら前面凸部７３は、すべて突出先端側ほど幅が狭くなる平面視等脚台形状をなしており、すべて同じ突出量であり、カセット配列直交水平方向Ｙの最大幅がすべて同じで、カセット配列直交水平方向Ｙの最小幅もすべて同じとなっている。これら前面凸部７３は、配列方向前面７０をカセット配列直交水平方向Ｙに略６等分する位置に形成されている。
【００５３】
なお、カセット配列直交水平方向Ｙに隣り合う２カ所の前面凸部７３によって、配列方向前面７０には、これらの間にこれらの先端面よりも凹む前面凹部（外面凹部）７４が形成されており、このような前面凹部７４がカセット配列直交水平方向Ｙに等間隔で並んで複数具体的には４カ所形成されている。また、配列方向前面７０には、カセット配列直交水平方向Ｙの一端の前面凸部７３によって、その外側に、この前面凸部７３の先端面よりも低く切り欠かれた形状の前面切欠部７５が形成されている。
【００５４】
また、各カセット３５〜３９において、図１６に示すように配列方向後面７１の上部にも、カセット配列方向Ｘに沿って突出する後面凸部（凸部）７８が、図１５に示すようにカセット配列直交水平方向Ｙに等間隔で並んで複数具体的には５カ所形成されている。これら後面凸部７８は、すべて突出先端側ほど幅が狭くなる平面視等脚台形状をなしており、すべて同じ突出量となっている。また、これら後面凸部７８は、カセット配列直交水平方向Ｙの最大幅がすべて同じで前面凹部７４の最大幅よりも狭くなっており、カセット配列直交水平方向Ｙの最小幅もすべて同じで前面凹部７４の最小幅よりも狭くなっている。これら後面凸部７８の脚部の傾斜角度は、前面凸部７３の脚部の傾斜角度と同等になっている。これら後面凸部７８のうち、カセット配列直交水平方向Ｙの中央の連続する４カ所が、カセット配列直交水平方向Ｙの位置を配列方向前面７０の前面凹部７４の各中央位置に一致させており、残りの１カ所はカセット配列直交水平方向Ｙの位置を配列方向前面７０の前面切欠部７５の中央位置にほぼ一致させている。これら後面凸部７８は、前面凸部７３と突出量が同等とされている。
【００５５】
加えて、各カセット３５〜３９において、配列方向後面７１の上部には、後面凸部７８の隣り合うもの同士の間隔と同等の間隔を、カセット配列直交水平方向Ｙの一端側の後面凸部７８との間に設けるようにして後面凸部７９が１カ所形成されている。この後面凸部７９は、突出先端側の幅が狭くなる平面視等脚台形状をなしており、他の後面凸部７８よりも、突出量が小さく且つカセット配列直交水平方向Ｙの幅が広くなっている。
【００５６】
なお、カセット配列直交水平方向Ｙに隣り合う２カ所の後面凸部７８によって、配列方向後面７１には、これらの間にこれらの先端面よりも凹む後面凹部（外面凹部）８１が形成されており、このような後面凹部８１がカセット配列直交水平方向Ｙに等間隔で並んで複数具体的には４カ所形成されている。また、配列方向後面７１には、カセット配列直交水平方向Ｙに隣り合う後面凸部７８，７９によっても、これらの間に後面凹部（外面凹部）８２が形成されている。これら後面凹部８１，８２は、カセット配列直交水平方向Ｙの最大幅が前面凸部７３の最大幅よりも広くなっており、カセット配列直交水平方向Ｙの最小幅も前面凸部７３の最小幅よりも広くなっている。
【００５７】
すべての前面凸部７３、すべての後面凸部７８および後面凸部７９は、上下方向の位置を一致させており、カセット３５〜３９の上面からこれら前面凸部７３、後面凸部７８および後面凸部７９までの上下方向長さは、取り扱う紙幣の短辺長さよりも短くなっている。また、前面凸部７３の突出長さと、後面凸部７８の突出長さとを合わせた長さは、収納部４７に収納された収納状態でのカセット３５〜３９の隣り合うもの同士の隙間の長さよりも長くなっている。
【００５８】
以上、引出体４６に一列状に配置されるすべてのカセット３５〜３９は、それぞれ、両側の配列方向前面７０および配列方向後面７１に、一側の配列方向前面７０側と逆側の配列方向後面７１とでカセット配列直交水平方向Ｙの位置をずらして複数の前面凸部７３と、複数の後面凸部７８および後面凸部７９とが設けられている。
【００５９】
よって、図１７にカセット３５，３８，３９を例示するように、カセット３５〜３９がそれぞれ対応する装填空間５８に装填された収納部４７への収納状態では、図１８および図１９にカセット３８，３９を例示するように、互いに対向する配列方向前面７０および配列方向後面７１において、すべての前面凸部７３とすべての後面凸部７８とが、カセット配列直交水平方向Ｙの位置をずらし且つカセット配列方向Ｘの位置を重ね合わせ且つ上下方向の位置を重ね合わせることになる。このとき、隣り合う前面凸部７３と後面凸部７８との間隔は紙幣の短辺長さよりも狭くなっている。これにより、カセット３５〜３９の隣り合うもの同士の隙間への紙幣の前面凸部７３および後面凸部７８を越える落下を前面凸部７３および後面凸部７８が規制することになる。
【００６０】
なお、上記を言い換えれば、すべてのカセット３５〜３９には、これらカセット３５〜３９を収納部４７へ収納した収納状態にてカセット配列方向Ｘに位置するそれぞれの配列方向前面７０および配列方向後面７１に、収納状態にて互いに対向すると、カセット配列直交水平方向Ｙの位置をずらし且つカセット配列方向Ｘの位置を重ね合わせる前面凸部７３および後面凸部７８が設けられていることになる。
【００６１】
さらに言い換えれば、カセット３５〜３９が収納部４７へ収納された収納状態において、カセット３５〜３９の隣り合うもの同士で互いに対向する配列方向前面７０および配列方向後面７１は、一方の配列方向前面７０の隣り合う二つの前面凸部７３によって間に形成された前面凹部７４に、他方の配列方向後面７１の一つの後面凸部７８がカセット配列直交水平方向Ｙの位置を重ね合わせることになり、他方の配列方向後面７１の隣り合う二つの後面凸部７８によって間に形成された後面凹部８１に、一方の配列方向前面７０の一つの前面凸部７３がカセット配列直交水平方向Ｙの位置を重ね合わせることになる。
【００６２】
図２０に示すように、前壁部５１の内側の壁面８５は、プールカセット３９が前壁部５１に最も近い装填空間５８に装填され収納部４７に収納された収納状態にて、プールカセット３９の配列方向前面７０と対向する。この壁面８５の上部には、収納状態にて対向するプールカセット３９の配列方向前面７０の最もベース壁部５２側（図２０の上側）の前面凸部７３を除くすべての前面凸部７３とカセット配列直交水平方向Ｙの位置を重ね合わせ且つカセット配列方向Ｘの位置を重ね合わせ且つ上下方向の位置を重ね合わせる壁面凹部８６が複数具体的には４カ所形成されている。
【００６３】
これら壁面凹部８６は、収納状態にあるプールカセット３９の配列方向前面７０の前面凸部７３の入り込みを可能としており、凹み方向奥側ほど幅が狭くなる平面視等脚台形状をなしている。これら壁面凹部８６は、カセット配列直交水平方向Ｙの最大幅がすべて同じで前面凸部７３の最大幅よりも広くなっており、カセット配列直交水平方向Ｙの最小幅もすべて同じで前面凸部７３の最小幅よりも広くなっている。ここで、これら壁面凹部８６は、前壁部５１の上面から、収納状態にあるプールカセット３９の前面凸部７３よりも低い高さ位置まで形成されている。
【００６４】
上記したように、プールカセット３９の収納部４７への収納状態では、互いに対向するプールカセット３９の配列方向前面７０と前壁部５１の壁面８５とにおいて、配列方向前面７０の最もベース壁部５２側（図２０の上側）の前面凸部７３を除くすべての前面凸部７３と、壁面８５のすべての壁面凹部８６とが、カセット配列直交水平方向Ｙの位置を重ね合わせ且つカセット配列方向Ｘの位置を重ね合わせ且つ上下方向の位置を重ね合わせることになる。これにより、プールカセット３９と前壁部５１との隙間への紙幣の前面凸部７３を越える落下を前面凸部７３および壁面凹部８６が規制することになる。
【００６５】
なお、上記を言い換えれば、壁面８５には、プールカセット３９の収納部４７への収納状態にて対向するプールカセット３９の配列方向前面７０の前面凸部７３とカセット配列直交水平方向Ｙの位置を重ね合わせ且つカセット配列方向Ｘの位置を重ね合わせる壁面凹部８６が設けられていることになる。
【００６６】
図２１に示すように、後壁部５４の内側の壁面８８は、金種カセット３５が後壁部５４に最も近い装填空間５８に装填され収納部４７に収納された収納状態にて、金種カセット３５の配列方向後面７１と対向する。この壁面８８の上部には、収納状態にて対向する金種カセット３５の配列方向後面７１の両端の後面凸部７８，７９を除くすべての後面凸部７８とカセット配列直交水平方向Ｙの位置を重ね合わせ且つカセット配列方向Ｘの位置を重ね合わせ且つ上下方向の位置を重ね合わせる壁面凹部８９が複数具体的には４カ所形成されている。
【００６７】
これら壁面凹部８９は、収納状態にある金種カセット３５の配列方向後面７１の後面凸部７８の入り込みを可能としており、凹み方向奥側ほど幅が狭くなる平面視等脚台形状をなしている。これら壁面凹部８９は、カセット配列直交水平方向Ｙの最大幅がすべて同じで後面凸部７８の最大幅よりも広くなっており、カセット配列直交水平方向Ｙの最小幅もすべて同じで後面凸部７８の最小幅よりも広くなっている。これら壁面凹部８９は、後壁部５４の上面から、収納状態にある金種カセット３５の後面凸部７８よりも低い高さ位置まで形成されている。
【００６８】
上記したように、金種カセット３５の収納部４７への収納状態では、互いに対向する金種カセット３５の配列方向後面７１と後壁部５４の壁面８８とにおいて、配列方向後面７１の両端を除くすべての後面凸部７８と壁面８８のすべての壁面凹部８９とが、カセット配列直交水平方向Ｙの位置を重ね合わせ且つカセット配列方向Ｘの位置を重ね合わせ且つ上下方向の位置を重ね合わせることになる。これにより、金種カセット３５と後壁部５４との隙間への紙幣の後面凸部７８を越える落下を後面凸部７８および壁面凹部８９が規制することになる。
【００６９】
なお、上記を言い換えれば、壁面８８には、金種カセット３５の収納部４７への収納状態にて対向する金種カセット３５の配列方向後面７１の後面凸部７８とカセット配列直交水平方向Ｙの位置を重ね合わせ且つカセット配列方向Ｘの位置を重ね合わせる壁面凹部８９が設けられていることになる。
【００７０】
ここで、搬送部４８にジャムを生じた場合等においては、作業者が、引出体４６を本体４５から引き出すことになり、場合によっては、それまで収納部４７上で水平をなしていた搬送部４８を図１３（ｂ）に示すように揺動させて開作動させることになって、その後、搬送部４８からジャム紙幣や搬送途中の紙幣を取り除くことになる。その際に、作業者が、紙幣を落下させてしまうことがあっても、収納部４７に収納状態にあるカセット３５〜３９の隣り合うもの同士の隙間、プールカセット３９と収納部４７の前壁部５１との隙間、および金種カセット３５と後壁部５４との隙間に落下させてしまうことはなくなる。
【００７１】
以上に述べた本実施形態の紙幣処理装置１１によれば、カセット３５〜３９の隣り合うもの同士の隙間に紙幣が落下しようとしても、隙間を形成する互いに対向する配列方向前面７０および配列方向後面７１に、カセット配列直交水平方向Ｙの位置をずらし且つカセット配列方向Ｘの位置を重ね合わせて前面凸部７３および後面凸部７８が設けられているため、隙間が一直線状にならずに紙幣の落下を規制することになる。したがって、カセット３５〜３９の隣り合うもの同士の隙間に紙幣が落下することを防止することができる。
【００７２】
また、一つの配列方向前面７０に複数の前面凸部７３がカセット配列直交水平方向Ｙに並んで設けられており、一方の配列方向前面７０の隣り合う二つの前面凸部７３間の前面凹部７４に、他方の配列方向後面７１の一つの後面凸部７８がカセット配列直交水平方向Ｙの位置を重ね合わせ、他方の配列方向後面７１の隣り合う二つの後面凸部７８間の後面凹部８１に、一方の配列方向前面７０の一つの前面凸部７３がカセット配列直交水平方向Ｙの位置を重ね合わせるため、隙間がジグザグ状になり、紙幣の落下をさらに規制することができる。したがって、カセット３５〜３９の隣り合うもの同士の隙間に紙幣が落下することをさらに防止することができる。
【００７３】
また、収納部４７の壁面８５とこれに隣り合うプールカセット３９との隙間に紙幣が落下しようとしても、壁面８５には、対向する配列方向前面７０の前面凸部７３とカセット配列直交水平方向Ｙの位置を重ね合わせ且つカセット配列方向Ｘの位置を重ね合わせる壁面凹部８６が設けられているため、隙間が一直線状にならずに紙幣の落下を規制することになる。したがって、収納部４７の壁面８５とこれに隣り合うプールカセット３９との隙間に紙幣が落下することを防止することができる。
【００７４】
また、収納部４７の壁面８８とこれに隣り合う金種カセット３５との隙間に紙幣が落下しようとしても、壁面８８には、対向する配列方向後面７１の後面凸部７８とカセット配列直交水平方向Ｙの位置を重ね合わせ且つカセット配列方向Ｘの位置を重ね合わせる壁面凹部８９が設けられているため、隙間が一直線状にならずに紙幣の落下を規制することになる。したがって、収納部４７の壁面８８とこれに隣り合う金種カセット３５との隙間に紙幣が落下することを防止することができる。
【００７５】
また、引出体４６の収納部４７に収納されるすべてのカセット３５〜３９が、両側の配列方向前面７０および配列方向後面７１に、一側と逆側とでカセット配列直交水平方向Ｙの位置をずらして前面凸部７３および後面凸部７９が設けられているため、すべてのカセット３５〜３９の隣り合うもの同士のすべての隙間が、一直線状にならずに紙幣の落下を規制することになる。したがって、収納部４７に収納されたすべてのカセット３５〜３９の隣り合うもの同士のすべての隙間に、紙幣が落下することを防止することができる。
【００７６】
また、搬送部４８に生じたジャム等を解消する際には、搬送部４８と収納部４７とが設けられた引出体４６が本体４５から引き出され、この状態で収納部４７の上側の搬送部４８から紙幣が取り除かれることになるため、下側の収納部４７側に紙幣が落下する可能性が高い。よって、カセット３５〜３９の隣り合うもの同士の隙間に紙幣が落下することを防止すること、カセット３９と前壁部５１との隙間に紙幣が落下することを防止すること、およびカセット３５と後壁部５４との隙間に紙幣が落下することを防止することによる効果が高まる。
【００７７】
なお、カセット配列直交水平方向Ｙ両側のベース壁部５２および着脱壁部５３に上記と同様の壁面凹部を設け、カセット３５〜３９のこれらに対向する両側面に、収納部４７へ収納された収納状態においてベース壁部５２および着脱壁部５３の壁面凹部に入り込む凸部を形成しても良い。
【符号の説明】
【００７８】
１１  紙幣処理装置
３５〜３７  金種カセット（カセット）
３８  混合カセット（カセット）
３９  プールカセット（カセット）
４５  本体
４６  引出体
４７  収納部
４８  搬送部
７０  配列方向前面（配列方向外面）
７１  配列方向後面（配列方向外面）
７３  前面凸部（凸部）７３
７４  前面凹部（外面凹部）
７８  後面凸部（凸部）
８１  後面凹部（外面凹部）
８５，８８  壁面
８６，８９  壁面凹部
【図１】
0005795877.tif 000002
【図２】
0005795877.tif 000003
【図３】
0005795877.tif 000004
【図４】
0005795877.tif 000005
【図５】
0005795877.tif 000006
【図６】
0005795877.tif 000007
【図７】
0005795877.tif 000008
【図８】
0005795877.tif 000009
【図９】
0005795877.tif 000010
【図１０】
0005795877.tif 000011
【図１１】
0005795877.tif 000012
【図１２】
0005795877.tif 000013
【図１３】
0005795877.tif 000014
【図１４】
0005795877.tif 000015
【図１５】
0005795877.tif 000016
【図１６】
0005795877.tif 000017
【図１７】
0005795877.tif 000018
【図１８】
0005795877.tif 000019
【図１９】
0005795877.tif 000020
【図２０】
0005795877.tif 000021
【図２１】
0005795877.tif 000022